(57)【要約】【課題】  例えば高額対応の遊技媒体貸出装置において、ＩＣコイン等の遊技用記憶媒体の不正使用を防止し、また正確な売上の管理が行える等の安全性の高い遊技媒体貸出システムを提供する。【解決手段】  遊技媒体を遊技者に貸し出す台間玉貸機（１００）にネットワークを介して接続される論理マネー管理装置（２００）は、ＩＣコインの識別コード毎に論理マネー口座を対応付けた論理マネー管理ＤＢ（２０１）を有し、台間玉貸機に投入されるＩＣコインが保有する遊技価値に相当する論理マネーを当該識別コードに基づく論理マネー口座に記憶して管理する。【選択図】  図２
2006149525.tif 000002
【特許請求の範囲】
【請求項１】
顧客が現金または遊技用記憶媒体を投入して遊技媒体を払い出す遊技媒体貸出装置と、
前記遊技媒体貸出装置と相互通信可能に接続され、遊技に使用可能な有価価値を示す情報である論理マネーを、前記遊技用記憶媒体に記憶される固有の識別コードからアドレスが特定される情報記憶領域である論理マネー口座において記憶し管理する論理マネー管理装置と、を含む遊技媒体貸出システム。
【請求項２】
請求項１に記載の遊技媒体貸出システムであって、
前記遊技媒体貸出装置には、投入された前記遊技用記憶媒体から固有の前記識別コードを読み取る遊技用記憶媒体受入手段と、
投入された現金の真偽を判別し金額を識別する現金識別手段と、
所定個数の遊技媒体の払い出し操作をするための貸出操作入力手段と、
遊技媒体を払い出す遊技媒体払出手段と、
前記論理マネー管理装置と論理マネーを介した取引制御を行う論理マネー取引制御手段と、が備えられ、
前記論理マネー取引制御手段は、前記現金識別手段に投入され識別された現金の金額情報と、前記遊技用記憶媒体受入手段により読み取られた遊技用記憶媒体の前記識別コードとを含む預入要求信号を前記論理マネー管理装置へ送信することで、当該識別コードに対応する論理マネー口座に当該金額情報に相当する論理マネーを加算させ、
前記貸出操作入力手段が操作されたとき、所定取引単位の論理マネーの出金を要求する出金要求信号を前記論理マネー管理装置へ送信することで、当該識別コードに対応する論理マネー口座から前記所定個数の遊技媒体の購入金額に相当する取引単位金額の論理マネーを減算させ、
前記論理マネー管理装置から返信される、当該取引単位の金額情報を含む出金信号を受信したとき、当該出金信号が示す金額に相当する個数の遊技媒体を前記遊技媒体払出手段に払い出させる処理を行う遊技媒体貸出システム。
【請求項３】
前記論理マネー管理装置は、前記出金信号を送信する毎にその金額情報とともに、送信先の遊技媒体貸出装置を識別する情報とを含む取引履歴情報を取引履歴ファイルに記憶する取引履歴更新手段と、
該取引履歴ファイルを参照し、その取引履歴情報に基づいて前記遊技媒体貸出装置の売上を集計する売上集計手段と、を更に備える請求項２に記載の遊技媒体貸出システム。
【請求項４】
前記論理マネー管理装置は、集計した遊技媒体貸出装置の売上データを第三者機関の売上集計システムに送信する売上データ送信手段を更に備える請求項３に記載の遊技媒体貸出システム。
【請求項５】
前記遊技媒体貸出装置は、受信した前記出金信号が示す金額情報を入金情報として集計し、集計した入金データを第三者機関の売上集計システムに送信する入金データ送信手段を更に備える請求項３又は４に記載の遊技媒体貸出システム。
【請求項６】
前記遊技用記憶媒体は、固有の前記識別コードを記憶するＩＣメモリチップを内包し無線通信によりその記憶内容が読み出されるＩＣコインであることを特徴とする請求項１〜５の何れか１項に記載の遊技媒体貸出システム。
【請求項７】
顧客が現金または遊技用記憶媒体を投入して遊技媒体を払い出す遊技媒体貸出装置と、前記遊技媒体貸出装置と相互通信可能に接続され、遊技に使用可能な有価価値を示す情報である論理マネーを、前記遊技用記憶媒体に記憶される固有の識別コードに基づいてアドレスが特定される情報記憶領域である論理マネー口座において記憶し管理する論理マネー管理装置と、を含む遊技媒体貸出システムにおける売上管理方法であって、
前記遊技媒体貸出装置は、投入された前記遊技用記憶媒体から固有の前記識別コードを読み取るステップと、
投入された現金の真偽を判別し真であると判別した場合にその金額情報と、読み取った前記識別コードとを含む預入要求信号を前記論理マネー管理装置へ送信するステップと、
前記論理マネー管理装置は、前記預入要求信号を受信したとき、投入された前記遊技用記憶媒体の当該識別コードに対応する前記論理マネー口座に前記金額情報に相当する論理マネーを加算するステップと、
前記遊技媒体貸出装置は、所定個数の遊技媒体の払い出し操作をするための貸出操作入力手段が操作されたとき、所定取引単位の論理マネーの出金を要求する出金要求信号を前記論理マネー管理装置へ送信するステップと、
前記論理マネー管理装置は、前記出金要求信号を受信したとき、当該識別コードに対応する論理マネー口座から、前記所定個数の遊技媒体の購入金額に相当する取引単位金額の論理マネーを減算し、当該取引単位の金額情報を含む出金信号を前記出金要求信号を送信した当該遊技媒体貸出装置へ返信するステップと、
当該遊技媒体貸出装置は、前記出金信号を受信したとき、当該出金信号が示す金額に相当する個数の遊技媒体を払い出すステップと、を備える売上管理方法。
【請求項８】
前記論理マネー管理装置は、前記出金信号を送信する毎にその金額情報とともに、送信先の遊技媒体貸出装置を識別する情報とを含む取引履歴情報を取引履歴ファイルに記憶するステップと、
該取引履歴ファイルを参照し、その取引履歴情報に基づいて前記遊技媒体貸出装置の売上を集計するステップと、を更に備える請求項７に記載の売上管理方法。
【請求項９】
前記論理マネー管理装置は、集計した遊技媒体貸出装置の売上データを第三者機関の売上集計システムに送信するステップを更に備える請求項８に記載の売上管理方法。
【請求項１０】
前記遊技媒体貸出装置は、受信した前記出金信号が示す金額情報を入金情報として集計するステップと、
集計した入金データを第三者機関の売上集計システムに送信するステップと、を更に備える請求項８又は９に記載の売上管理方法。
【請求項１１】
前記遊技用記憶媒体は、固有の前記識別コードを記憶するＩＣメモリチップを内包し無線通信によりその記憶内容が読み出されるＩＣコインであることを特徴とする請求項７〜１０の何れか１項に記載の売上管理方法。
【発明の詳細な説明】
【技術分野】
【０００１】
本発明は、例えばパチンコやスロットマシン等の遊技機が設置される遊技店舗において、これらの遊技に使用する遊技球、若しくはメダル等の遊技媒体を貸し出すための遊技媒体貸出システムに関する。
【背景技術】
【０００２】
従来、パチンコ機やスロットマシン等により遊技を提供する遊技店舗においては、遊技球またはメダルを顧客に貸し出す遊技媒体貸出装置が設けられ、各遊技媒体貸出装置の売上を集計することで店舗内の営業実績を計上していた。しかし、この方法では、店舗事業者の恣意的な操作により、または店舗従業員の悪質な搾取によって不正に売上データの改ざん等が行われる可能性があり、店舗における会計上の透明性が欠けていた。
【０００３】
このような背景を受け、近年、プリペイドカードを使った決済システムを技術的基盤に、第三者（カード販売・管理業者）が各遊技店舗の売上の捕捉を行う仕組みが提案され、広く導入されるに至った（例えば特許文献１及び２参照）。すなわち、この仕組みによれば、カード販売・管理業者がプリペイドカードを遊技店舗で販売することで、その売上金額が当該業者に捕捉され、遊技店舗側からは顧客に貸し出した実際の遊技媒体の数量に基づく金額を当該カード販売・管理会社に請求することで両者間の取引が決済される。これにより、第三者が介在した客観的で透明性を有する遊技店舗の会計が行われるようになる。
【０００４】
また、最近ではプリペイドカードに代わる遊技用記憶媒体として、無線通信によりデータの読み書きが可能な制御回路をコイン状のケースに収容したＩＣコインを利用して遊技媒体の貸し出しを行うシステムも提案されている。（例えば特許文献３及び４参照）。かかる貸出装置のシステムにおいては、遊技店舗内の管理コンピュータが各ＩＣコインの金銭的価値（遊技に使用可能な有価価値を特に「遊技価値」という）を記憶管理し、記憶管理された遊技価値と使用されるＩＣコインのメモリに記憶されている遊技価値との整合性をチェックすることで、遊技媒体の貸し出しにおける取引上の安全性を確保している。
【０００５】
【特許文献１】特開２００１−２３２００８号公報
【特許文献２】特開２０００−２０２１４４号公報
【特許文献３】特開２００２−１８１０９号公報
【特許文献４】特開２００３−１９３４１号公報
【発明の開示】
【発明が解決しようとする課題】
【０００６】
ところで、遊技媒体の貸し出し操作における利便性の向上という観点から、１回の貸し出し操作に要する金額以上の高額紙幣にも対応可能な遊技媒体貸出装置が求められている。しかし、かかる従来のプリペイドカード、またはＩＣコイン等の遊技用記憶媒体を利用したシステムによれば、記憶媒体自体に遊技に使用する遊技価値が記憶されているので、これら遊技価値のデータを不正に改ざんして遊技を行い、または現金の払い戻しを受ける等の不正行為がされる場合がある。遊技店舗側は、閉店後に行う販売収支の集計時においてプリペイドカード等の（払戻金を控除した）販売売上と、貸し出した遊技媒体の数量との誤差からその被害に気付くケースがほとんどであり、かかる不正行為を早期に発見することは難しく、損害を大きくしていた。
【０００７】
本発明は、こうした従来の問題に鑑みてなされたものであり、例えば高額対応の遊技媒体貸出装置において、ＩＣコイン等の遊技用記憶媒体の不正使用を防止し、また正確な売上の管理が行える等の安全性の高い遊技媒体貸出システムを提供することを目的としている。
【課題を解決するための手段】
【０００８】
上述した課題を解決するため、請求項１に記載の発明は、顧客が現金または遊技用記憶媒体を投入して遊技媒体を払い出す遊技媒体貸出装置と、前記遊技媒体貸出装置と相互通信可能に接続され、遊技に使用可能な有価価値を示す情報である論理マネーを、前記遊技用記憶媒体に記憶される固有の識別コードからアドレスが特定される情報記憶領域である論理マネー口座において記憶し管理する論理マネー管理装置と、を含む遊技媒体貸出システムである。
【０００９】
請求項１に記載の遊技媒体貸出システムによれば、遊技用記憶媒体自体には有価価値のデータは記憶されないため、遊技用記憶媒体に対してデータを改ざん等することによる有価価値の不正使用が防止され、遊技媒体の貸し出し取引または金銭管理における安全性が向上する。また、論理マネー管理装置は、遊技用記憶媒体が保有する有価価値を当該遊技用記憶媒体の識別コードから特定されるアドレスが特定される情報記憶領域に記憶し管理する。すなわち、遊技用記憶媒体が保有する有価価値を論理マネー管理装置が個別の論理マネー口座に論理マネーを預け入れる態様で管理することで、高額の金銭的価値を安全に扱うことが可能となる。
【００１０】
請求項２に記載の発明は、請求項１に記載の遊技媒体貸出システムであって、前記遊技媒体貸出装置には、投入された前記遊技用記憶媒体から固有の前記識別コードを読み取る遊技用記憶媒体受入手段と、投入された現金の真偽を判別し金額を識別する現金識別手段と、所定個数の遊技媒体の払い出し操作をするための貸出操作入力手段と、遊技媒体を払い出す遊技媒体払出手段と、前記論理マネー管理装置と論理マネーを介した取引制御を行う論理マネー取引制御手段と、が備えられ、前記論理マネー取引制御手段は、前記現金識別手段に投入され識別された現金の金額情報と、前記遊技用記憶媒体受入手段により読み取られた遊技用記憶媒体の前記識別コードとを含む預入要求信号を前記論理マネー管理装置へ送信することで、当該識別コードに対応する論理マネー口座に当該金額情報に相当する論理マネーを加算させ、前記貸出操作入力手段が操作されたとき、所定取引単位の論理マネーの出金を要求する出金要求信号を前記論理マネー管理装置へ送信することで、当該識別コードに対応する論理マネー口座から前記所定個数の遊技媒体の購入金額に相当する取引単位金額の論理マネーを減算させ、前記論理マネー管理装置から返信される、当該取引単位の金額情報を含む出金信号を受信したとき、当該出金信号が示す金額に相当する個数の遊技媒体を前記遊技媒体払出手段に払い出させる処理を行う遊技媒体貸出システムである。
【００１１】
請求項２に記載の遊技媒体貸出システムによれば、遊技媒体貸出装置の論理マネー取引制御手段は前記論理マネー管理装置に対し、現金が投入されたとき論理マネー口座に当該金額に相当する論理マネーを加算させ（預入要求）、貸出操作入力手段が操作されたとき、論理マネー口座から取引単位の論理マネーを出金させ（出金要求）、論理マネー管理装置から出金信号が返信されると、当該出金信号が示す金額に相当する個数の遊技媒体を遊技媒体払出手段に払い出させる。このように、遊技媒体貸出装置と論理マネー管理装置とが、遊技用記憶媒体を介して論理マネーの取引処理を行うことで、高額の金銭的価値を安全に扱い、論理マネーの取引において正当性が確保される。
【００１２】
請求項３に記載の発明は、請求項２に記載の遊技媒体貸出システムであって、前記論理マネー管理装置は、前記出金信号を送信する毎にその金額情報とともに、送信先の遊技媒体貸出装置を識別する情報とを含む取引履歴情報を取引履歴ファイルに記憶する取引履歴更新手段と、該取引履歴ファイルを参照し、その取引履歴情報に基づいて前記遊技媒体貸出装置の売上を集計する売上集計手段と、を更に備える。
【００１３】
請求項３に記載の遊技媒体貸出システムによれば、遊技媒体貸出装置の売上等の不正な改ざんを防止して売上を正確に管理する。
【００１４】
請求項４に記載の発明は、請求項３に記載の遊技媒体貸出システムであって、前記論理マネー管理装置は、集計した遊技媒体貸出装置の売上データを第三者機関の売上集計システムに送信する売上データ送信手段を更に備える。
【００１５】
請求項４に記載の遊技媒体貸出システムによれば、第三者機関の売上集計システムは、送信された売上データに基づいて遊技媒体貸出装置の売上を監査することができるようになる。
【００１６】
請求項５に記載の発明は、請求項３又は４に記載の遊技媒体貸出システムであって、前記遊技媒体貸出装置は、受信した前記出金信号が示す金額情報を入金情報として集計し、集計した入金データを第三者機関の売上集計システムに送信する入金データ送信手段を更に備える。
【００１７】
請求項５に記載の遊技媒体貸出システムによれば、第三者機関の売上集計システムは、送信された入金データに基づいて遊技媒体貸出装置の正確な売上を監査することができるようになる。
【００１８】
請求項６に記載の発明は、請求項１〜５の何れか１項に記載の遊技媒体貸出システムであって、前記遊技用記憶媒体は、固有の前記識別コードを記憶するＩＣメモリチップを内包し無線通信によりその記憶内容が読み出されるＩＣコインであることを特徴とする。
【００１９】
請求項６に記載の遊技媒体貸出システムによれば、記憶データの秘匿性の高いＩＣコインを遊技用記憶媒体として使用することで、遊技用記憶媒体の不正使用が防止される等、安全性が高まる。
【００２０】
請求項７に記載の発明は、顧客が現金または遊技用記憶媒体を投入して遊技媒体を払い出す遊技媒体貸出装置と、前記遊技媒体貸出装置と相互通信可能に接続され、遊技に使用可能な有価価値を示す情報である論理マネーを、前記遊技用記憶媒体に記憶される固有の識別コードに基づいてアドレスが特定される情報記憶領域である論理マネー口座において記憶し管理する論理マネー管理装置と、を含む遊技媒体貸出システムにおける売上管理方法であって、前記遊技媒体貸出装置は、投入された前記遊技用記憶媒体から固有の前記識別コードを読み取るステップと、投入された現金の真偽を判別し真であると判別した場合にその金額情報と、読み取った前記識別コードとを含む預入要求信号を前記論理マネー管理装置へ送信するステップと、前記論理マネー管理装置は、前記預入要求信号を受信したとき、投入された前記遊技用記憶媒体の当該識別コードに対応する前記論理マネー口座に前記金額情報に相当する論理マネーを加算するステップと、前記遊技媒体貸出装置は、所定個数の遊技媒体の払い出し操作をするための貸出操作入力手段が操作されたとき、所定取引単位の論理マネーの出金を要求する出金要求信号を前記論理マネー管理装置へ送信するステップと、前記論理マネー管理装置は、前記出金要求信号を受信したとき、当該識別コードに対応する論理マネー口座から、前記所定個数の遊技媒体の購入金額に相当する取引単位金額の論理マネーを減算し、当該取引単位の金額情報を含む出金信号を前記出金要求信号を送信した当該遊技媒体貸出装置へ返信するステップと、当該遊技媒体貸出装置は、前記出金信号を受信したとき、当該出金信号が示す金額に相当する個数の遊技媒体を払い出すステップと、を備える売上管理方法である。
【００２１】
請求項７に記載の遊技媒体貸出システムにおける売上管理方法によれば、論理マネー管理装置は、遊技用記憶媒体が保有する有価価値を当該遊技用記憶媒体の識別コードから特定されるアドレスが特定される情報記憶領域に記憶し管理する。すなわち、遊技用記憶媒体が保有する有価価値を論理マネー管理装置が個別の論理マネー口座に論理マネーを預け入れる態様で管理することで、高額の金銭的価値を安全に扱うことが可能となる。
【００２２】
また、遊技媒体貸出装置は、現金が投入されたとき、預入要求信号を論理マネー管理装置に送信して論理マネー口座に当該金額に相当する論理マネーを加算させ、貸出操作入力手段が操作されたとき、出金要求信号を論理マネー管理装置に送信して論理マネー口座から取引単位の論理マネーを出金させ、論理マネー管理装置から出金信号が返信されると、当該出金信号が示す金額に相当する個数の遊技媒体を払い出す。このように、遊技媒体貸出装置と論理マネー管理装置とが、遊技用記憶媒体を介して論理マネーの取引処理を行うことで、高額の金銭的価値を安全に扱い、論理マネーの取引において正当性が確保される。
【００２３】
請求項８に記載の発明は、請求項７に記載の売上管理方法であって、前記論理マネー管理装置は、前記出金信号を送信する毎にその金額情報とともに、送信先の遊技媒体貸出装置を識別する情報とを含む取引履歴情報を取引履歴ファイルに記憶するステップと、該取引履歴ファイルを参照し、その取引履歴情報に基づいて前記遊技媒体貸出装置の売上を集計するステップと、を更に備える。
【００２４】
請求項８に記載の遊技媒体貸出システムにおける売上管理方法によれば、遊技媒体貸出装置の売上等の不正な改ざんを防止して売上を正確に管理する。
【００２５】
請求項９に記載の発明は、請求項８に記載の売上管理方法であって、前記論理マネー管理装置は、集計した遊技媒体貸出装置の売上データを第三者機関の売上集計システムに送信するステップを更に備える。
【００２６】
請求項９に記載の遊技媒体貸出システムにおける売上管理方法によれば、第三者機関の売上集計システムは、送信された売上データに基づいて遊技媒体貸出装置の売上を監査することができるようになる。
【００２７】
請求項１０に記載の発明は、請求項８又は９に記載の売上管理方法であって、前記遊技媒体貸出装置は、受信した前記出金信号が示す金額情報を入金情報として集計するステップと、集計した入金データを第三者機関の売上集計システムに送信するステップと、を更に備える。
【００２８】
請求項１０に記載の遊技媒体貸出システムにおける売上管理方法によれば、第三者機関の売上集計システムは、送信された入金データに基づいて遊技媒体貸出装置の正確な売上を監査することができるようになる。
【００２９】
請求項１１に記載の発明は、請求項７〜１０の何れか１項に記載の売上管理方法であって、前記遊技用記憶媒体は、固有の前記識別コードを記憶するＩＣメモリチップを内包し無線通信によりその記憶内容が読み出されるＩＣコインであることを特徴とする。
【００３０】
請求項１１に記載の遊技媒体貸出システムにおける売上管理方法によれば、記憶データの秘匿性の高いＩＣコインを遊技用記憶媒体として使用することで、遊技用記憶媒体の不正使用が防止される等、安全性が高まる。
【発明の効果】
【００３１】
上述したように、本発明の遊技媒体貸出システムによれば、高額対応の遊技媒体貸出装置において、ＩＣコイン等の遊技用記憶媒体の不正使用を防止し、また正確な売上の管理が行える等、遊技媒体を販売する上での安全性が高まる。
【発明を実施するための最良の形態】
【００３２】
以下、本発明が適用される好適な実施形態として、パチンコ機に使用する遊技球を遊技客に貸し出す遊技媒体貸出機（台間玉貸機）を有する遊技媒体貸出システムを例に説明する。まず、図１に基づいて、パチンコホール等の遊技店舗に構築されるシステムの全体構成について説明する。各パチンコ機に隣接して、遊技球を遊技客に貸し出す遊技媒体貸出機である台間玉貸機１００が設置されている。遊技店舗には、各台間玉貸機１００に投入され預け入れられるＩＣコイン及び現金の金額情報を一括して管理し、遊技球の購入分から売上を集計するコンピュータ装置である論理マネー管理装置２００と、新規のＩＣコインを発行して遊技客に販売する預り金両替機５００と、ＩＣコインの未使用残高を換金して遊技客に返却する預り金返却機６００がローカルの通信ネットワーク８００を介して相互に通信可能に接続されている。
【００３３】
なお、ＩＣコインは、遊技用記憶媒体の一例であり、ＩＣメモリと、その記憶内容を無線通信により読み出しまたは書き換え可能に制御するチップセットを、樹脂材料でコイン状（円板状）に封止・成形したものである。ここで、ＩＣコインには、少なくとも固有の識別コードデータが予め記憶されている。
【００３４】
また、本明細書において「論理マネー」とは、遊技機で遊技をしたり、遊技球（パチンコ玉）等の遊技媒体と交換したりすることができる、遊技に使用可能な金銭的価値（以下、これを「遊技価値」という）を示すコード化されたデータとして扱われる情報であるとしている。
【００３５】
遊技店舗の管理室等には、各遊技機の遊技情報等を集中管理するホールコンピュータ４００が設けられ、各台間玉貸機からは、売上データ（入金データ、または払い出された球数でもよい）が送信され、店舗内の売上を集計する。
【００３６】
ルータ３００は、店舗内の通信ネットワーク８００と外部の通信ネットワーク９００とを接続するデータ伝送中継手段として機能する。第三者機関であるデータセンタには、各遊技店舗の売上情報を収集する売上集計システム７００が設置され、外部の通信ネットワーク９００を介して各遊技店舗のルータ３００と回線接続される。なお、外部の通信ネットワーク９００は、データ内容の秘匿性保持という点から専用線であることが望ましいが、伝送データに暗号化処理を施す等して安全性を充分に確保することにより、インターネット等の公衆回線網を使用するものであってもよい。
【００３７】
次に、台間玉貸機１００の遊技球の貸出（取引）に係る処理の詳細を説明する。図２は、本実施形態による貸出システムの構成を表すブロック図である。
【００３８】
台間玉貸機１００には、遊技客により投入されるＩＣコインを受け入れるＩＣコイン受入部１１０と、同じく遊技客に投入される紙幣または貨幣の真偽を識別する現金識別機１３０と、投入された現金を一旦、施設内のコンピュータ装置である論理マネー管理装置２００へ論理マネーとして預け入れ、必要時に引き出す取引処理を行う論理マネー取引制御部１２０と、遊技球を遊技客へ払い出す遊技球払出手段１６０と、遊技球払出手段１６０を制御して所定数の遊技球を払い出す制御を行う払出制御基板１５０とが備えられている。
【００３９】
ＩＣコイン受入部１１０には、ＩＣコインの記憶情報を読み取る読取手段が設けられている。本実施形態によるＩＣコインには、固有の識別コード（以下、単に「ＩＤ」という）が記憶されている。識別情報の具体例は、製造過程において割り当てられるシリアルナンバである。ＩＣコイン受入部１１０に設けられる読取手段は、ＩＣコインが投入されると電磁波で交信し、ＩＣメモリに記憶されている当該ＩＣコインのＩＤを読み取る。ＩＣコイン受入部１１０は、ＩＣコインのＩＤを正常に読み取った場合、そのＩＤ情報を含むＩＣコイン受付信号を論理マネー取引制御部１２０へ送信する。
【００４０】
紙幣及び硬貨の真偽を識別する現金識別機１３０は、投入された現金が真性であると判別した時、その金額情報を含む現金受付信号を論理マネー取引制御部１２０へ出力する。
【００４１】
論理マネー取引制御部１２０は、ＣＰＵ、ＲＯＭ、ＲＡＭ等を含むマイコンをベースに形成される制御装置であり、後述する論理マネー管理装置２００とは店舗内の通信ネットワーク８００を介して通信可能に接続されている。なお、通信ネットワーク８００を介して論理マネー取引制御部１２０、及び論理マネー管理装置２００が相互に取り交わすデータは暗号化され、ホールコンピュータ４００等の他の情報端末からはこれらデータの内容を読み取ることができないようになっている。
【００４２】
遊技媒体払出手段１６０は、ステッピングモータを駆動しその回転量に応じた数の遊技球をパチンコの受け皿へ払い出す装置である。払出制御基板１５０は、論理マネー取引制御部１２０から後述する入金信号を受信すると、金額あたりの貸出数である所定の換算レートに当該入金信号が示す金額を乗じて求めた数の遊技球を払い出すべく、ステッピングモータの回転量を制御する払出制御信号を遊技球払出手段１６０へ出力する。
【００４３】
なお、遊技媒を貸し出す対象遊技機がスロットマシンである場合には、払出制御基板１５０は、当該スロットマシンが保有するクレジットを入金信号が示す金額に応じた数だけ増加させることで、メダルの貸し出しを行ってもよい。
【００４４】
また、図２に示されるように、払出制御基板１５０は、論理マネー取引制御部１２０からの入金信号（またはその金額で換算した遊技球の払い出し数）のデータである売上データをホールコンピュータ４００へ送信してもよい。この場合、ホールコンピュータ４００は、売上データを集計して店舗内の売上を計上する。
【００４５】
論理マネー管理装置２００は、上述したように遊技店舗に設置される各台間玉貸機１００の論理マネー取引制御部１２０と通信可能に接続されている。論理マネー管理装置２００に接続されるディスクユニット等の記憶装置には、店舗内で使用される各ＩＣコインの識別コードから特定される論理マネー口座が組み込まれている。すなわち、論理マネー口座とは、識別コード毎にアドレスが対応づけられた情報記憶領域（メモリ領域）のことをいう。各ＩＣコインが保有する遊技価値は、当該識別コードから特定されるアドレスのメモリ領域（論理マネー口座）に、論理マネー口座に預けられた論理マネーとして、その金額情報が記憶されることで管理される。かかる識別コードに対応する論理マネー口座が組み込まれた構成のデータベースを、論理マネー管理データベース（以下「論理マネー管理ＤＢ」と記載）２０１と呼んでいる。
【００４６】
また、論理マネー管理装置２００の記憶装置には、各台間玉貸機１００における金銭取引を論理マネーの移動（出入金及び振替）履歴を記録する取引履歴ファイル２０２が記憶管理されている。本実施形態によれば、論理マネー管理装置２００において、取引履歴ファイル２０２に記録された取引履歴を集計すれば各台間玉貸機１００の正確な売上を把握することができる。なお、図２には示していないが、遊技店舗内における売上の管理方法の運用上、論理マネー管理装置２００にて集計される売上データをホールコンピュータ４００に伝送して、当該ホールコンピュータが店舗内の台間玉貸機１００その他販売機の売上を一括して管理するようにしてもよい。
【００４７】
次に、台間玉貸機１００に備えられている論理マネー取引制御部１２０の構成を説明する。図３は、論理マネー取引制御部１２０の回路構成を表すブロック図である。同図によれば、論理マネー取引制御部１２０は、アドレス及びデータ用のバスを介してＣＰＵ１２０１、Ｉ／Ｏポート１２０２、シリアル通信回路１２０３、ＬＡＮ制御回路１２０４、例えばＲＯＭであるプログラム用の記憶装置１２０５、例えばＲＡＭであるデータ用の記憶装置１２０６が接続されたマイコンとして形成されている。Ｉ／Ｏポート１２０２には、所定個数の遊技球を払い出す操作をするための貸出操作入力手段としての押圧スイッチである貸出スイッチ１２１１と、ＩＣコインを返却させるための返却スイッチ１２１２と、７セグＬＥＤにより形成される残高表示部１２１３が接続されている。これら貸出スイッチ１２１１、返却スイッチ１２１２、残高表示部１２１３は、台間玉貸機１００においてその前面の適宜の位置に配設される。
【００４８】
ＩＣコイン受入部１１０と払出制御基板１５０は、シリアル通信回路１２０３を介して論理マネー取引制御部１２０とシリアル通信可能に接続されている。
【００４９】
論理マネー取引制御部１２０に設けられている記憶装置１２０５には、ＣＰＵ１２０１に各種演算処理を実行させるプログラムが格納される。メインプログラム１２２０は、論理マネー取引制御部１２０の全体動作を制御するためのプログラムであり、遊技客の操作等を契機に生成される割込信号に応じて下記のサブプログラムを起動させる。すなわち、ＩＣコインを介在させて論理マネー管理装置２００と論理的な金銭（論理マネー）の取引を行うための各種処理を実行させるサブプログラムとして、ＩＣコイン認証要求プログラム１２２１と、論理マネー振替要求プログラム１２２２と、論理マネー預入要求プログラム１２２３と、論理マネー出金要求プログラム１２２４と、入金信号生成プログラム１２２５と、ＩＣコイン返却処理プログラム１２２６と、伝送データ暗号化／復号化プログラム１２２７とが備えられる。
【００５０】
次に、店舗設備として設けられている論理マネー管理装置２００を説明する。図４は、論理マネー管理装置２００の回路構成を表すブロック図である。同図において、論理マネー管理装置２００は、ＣＰＵ２０３と、ＲＡＭまたはディスクユニット等から形成される記憶装置２０４と、例えばＲＯＭであるプログラム用の記憶装置２０５と、ＬＡＮ制御回路２０６とを少なくとも備える情報処理端末である。論理マネー管理装置２００は、ＬＡＮ制御回路２０６を介して、各台間玉貸機１００の論理マネー取引制御部１２０と、預り金両替機５００と、預り金返却機６００とが回線接続されている。
【００５１】
記憶装置２０４には、上述した論理マネー管理ＤＢ２０１と、取引履歴ファイル２０２とが、例えば図４に示されるデータ構成を有して記憶管理される。すなわち、論理マネー管理ＤＢ２０１には、各台間玉貸機１００に現在投入されているＩＣコインのＩＤ（シリアルナンバ）と、当該ＩＣコインが保有している遊技価値を論理マネーとして論理マネー口座に預け入れた預り金残高と、当該台間玉貸機１００が、ＩＣコインを介する論理マネーの取引中か否かを示すフラグと、取引中であれば当該台間玉貸機１００の識別情報である機械台番号とが記録され、これらが関連付けられて記録されている。つまり、論理マネー管理装置２００は、論理マネー管理ＤＢ２０１を用いて、各ＩＣコインのＩＤを口座番号（アドレス）とする論理マネー口座を管理する。そして、当該口座に預け入れられる論理マネーの金額が、当該ＩＣコインが保有する金銭の遊技価値として扱われる。なお、論理マネー管理ＤＢ２０１に記録される預り金残高の情報は、金額だけに限定されるものではなく、現金に換算されるポイント（度数）、貸し出す対象である遊技媒体（遊技球）の数、またはこれらに相当する遊技に使用可能な遊技価値であってもよい。
【００５２】
取引履歴ファイル２０２には、論理マネー管理装置２００と台間玉貸機１００との取引が成立する毎に、その取引時刻、取引口座を示すＩＣコインのＩＤ、取引対象である台間玉貸機１００の機械台番号、論理マネー管理装置２００の当該口座に預け入れられた（若しくは振り替えられた）金額、または当該口座から出金した金額等の履歴情報が追記、更新される。
【００５３】
論理マネー管理装置２００に設けられている記憶装置２０５には、ＣＰＵ２０３に演算処理を実行させるプログラムが格納される。メインプログラム２１０は、論理マネー管理装置２００による論理マネーを使った取引全体の動作を制御するためのプログラムである。また、他の機器及び装置からの制御信号または割込信号に応じて下記のプログラムが起動される。すなわち、記憶装置２０５には、論理マネー取引プログラム２２０と、売上データ集計プログラム２３０と、ＩＣコイン発行処理プログラム２４０と、預り金返却処理プログラム２５０と、伝送データ暗号化／復号化プログラム２６０とが備えられる。また、論理マネー取引プログラム２２０のサブプログラムとして起動される、ＩＣコイン認証プログラム２２１、論理マネー振替プログラム２２２、論理マネー預入プログラム２２３、論理マネー出金プログラム２２４、取引終了処理プログラム２２５等が記憶装置２０５に記憶されている。
【００５４】
次に、かかる構成の貸出システムによる台間玉貸機１００の遊技媒体の貸出取引方法を説明する。システムにおける貸出取引は、論理マネー取引制御部１２０と論理マネー管理装置２００とが通信ネットワーク８００を介して連携して動作することで実現される。ここでは、まず台間玉貸機１００に備えられる論理マネー取引制御部１２０の動作を図５〜図１０のフローチャートに基づいて説明する。なお、論理マネー取引制御部１２０に備えられるＣＰＵ１２０１が上述した各プログラムに従って演算処理をすることで、フローチャートに示される各ステップが実行される。
【００５５】
図５は、論理マネー取引制御部１２０のメインプログラム１２２０のフローチャートである。論理マネー取引制御部１２０のメイン処理においては、待機状態において、当該遊技店舗において使用可能な適格のＩＣコインが遊技客によりＩＣコイン受入部１１０に投入され、ＩＣコイン受入部１１０の読取手段が読み取った当該ＩＣコインのＩＤ（シリアルナンバ）の情報を含むＩＣコイン受付信号を受信したとき（ステップＳ１０１：ＹＥＳ）、ＩＣコイン認証要求処理に移る（ステップＳ１０２）。
【００５６】
ここで、ＩＣコイン認証要求処理は、図６のフローチャートで示すＩＣコイン認証要求プログラム１２２１が起動されて実行される。すなわち、図６において、論理マネー取引制御部１２０は、まず、投入されたＩＣコインのＩＤをＩＣコイン受付信号から取得する（ステップＳ１２１）。そして、当該ＩＤを含むＩＣコイン認証要求の信号を論理マネー管理装置２００へ送信する（ステップＳ１２２）。
【００５７】
論理マネー管理装置２００は、ＩＣコイン認証要求の信号を受信すると、後述する認証処理（図１４）において、当該ＩＤが論理マネー管理ＤＢ２０１に登録されているか否か調べ、その結果を当該台間玉貸機１００の論理マネー取引制御部１２０へ返信する。このとき、論理マネー管理装置２００は、当該ＩＣコインのＩＤが登録済みであれば認証する旨の信号と、データを暗号化するための公開されていない秘密暗号化鍵を当該論理マネー取引制御部１２０へ送信する。
【００５８】
論理マネー取引制御部１２０は、論理マネー管理装置２００から応答信号を受信し（ステップＳ１２３：ＹＥＳ）、ＩＣコインのＩＤが登録済みでなければ（ステップＳ１２４：ＮＯ）、ＩＣコイン受入部１１０に対し、当該ＩＣコインを不適格のものとして排出させる（ステップＳ１２５）。投入されたＩＣコインのＩＤが登録済みであれば（ステップＳ１２４：ＹＥＳ）、論理マネー管理装置２００から送信された秘密暗号化鍵を使ってマスター口座キーを作成する（ステップＳ１２６）。
【００５９】
マスター口座キーは、例えば、簡単な意味を持つ文字列（平文）を当該秘密暗号化鍵で暗号化したコード列であってもよいし、当該ＩＣコインのＩＤと当該台間玉貸機１００の機械台番号を含むデータを秘密暗号化鍵でコード化したものでもよい。どのようなデータをコード化してマスター口座キーとするかは予め取り決められる。マスター口座キーは、ＩＣコインが認証された当該論理マネー取引制御部１２０のみが有する秘密暗号化鍵で暗号化されるものなので、これを論理マネー管理装置２００に送信することでデータメッセージの電子署名として機能する。すなわち、論理マネー管理装置２００は、どの秘密暗号化鍵をどの台間玉貸機１００へ提供したか把握しているので、受信したマスター口座キーを復号化することで、そのデータメッセージの正当性を判断するとともに、ＩＣコインのＩＤと台間玉貸機１００の機械台番号を特定することができる。そして、マスター口座キーが正当性を有するものであれば、当該マスター口座キーを送信した論理マネー取引制御部１２０を認証し、当該マスター口座キーとともに送信される各種要求信号の要求処理を受け入れる。つまり、論理マネー取引制御部１２０は、投入されたＩＣコインのマスター口座キーを用いることで、当該ＩＣコインの口座に対して論理マネーを預け入れたり、出金したりする等の取引を行うことが可能となる。そして、論理マネー管理装置２００は、マスター口座キーを複号化することで、ＩＣコインのＩＤ及び機械台番号を特定し、これらを付した正当性が保証された取引履歴を取引履歴ファイル２０２に記録することができる。なお、ステップＳ１２６で作成したマスター口座キーは、ＩＣコインが認証され論理マネー管理装置２００と取引状態にあるときにおいてのみ有効とし、その間は例えばＲＡＭである記憶装置１２０６に保管される。
【００６０】
図５のメイン処理に戻り、論理マネー取引制御部１２０は、投入されたＩＣコインが登録されたものと認証された場合（ステップＳ１０３：ＹＥＳ）、論理マネー管理装置２００とＩＣコインを介したいくつかの取引に係る処理が可能な取引状態となる。次に説明する取引処理は、取引状態において発生する割込処理でそれぞれ起動される。
【００６１】
取引開始前に投入されたＩＣコインとは別に、追加のＩＣコインが台間玉貸機１００に投入され、ＩＣコイン受入部１１０の読取手段が読み取った当該ＩＣコインのＩＤを含むＩＣコイン受付信号を論理マネー取引制御部１２０が受信すると（ステップＳ１０４：ＹＥＳ）、ステップＳ１０５の振替要求処理が起動される。
【００６２】
また、現金識別機１３０に紙幣または硬貨の現金が投入され、現金識別機１３０が当該現金を真性のものとして出力する現金受付信号を論理マネー取引制御部１２０が受信すると（ステップＳ１０６：ＹＥＳ）、ステップＳ１０７の預入要求処理が起動される。
【００６３】
また、台間玉貸機１００への預け入れ残高がある場合に、所定数の遊技球の貸し出しをするための貸出スイッチ１２１１が押圧操作され、論理マネー取引制御部１２０がこのスイッチ出力を検出すると（ステップＳ１０８：ＹＥＳ）、ステップＳ１０９の出金要求処理が起動される。
【００６４】
また、論理マネー取引制御部１２０が、論理マネー管理装置２００からの出金信号を受信すると（ステップＳ１１０：ＹＥＳ）、ステップＳ１１１の入金信号生成処理が起動される。
【００６５】
また、最初に投入されたＩＣコインを介した取引状態を終了するための返却スイッチ１２１２が押圧操作され、論理マネー取引制御部１２０がこのスイッチ出力を検出すると（ステップＳ１１２：ＹＥＳ）、ＩＣコイン返却処理が起動され（ステップＳ１１３）、取引解消後、メインの処理は待機状態になる。
【００６６】
図７は、ＩＣコインを介在させた取引状態において、更に別のＩＣコインが追加投入された場合に起動される振替要求処理のフローチャートである。なお、振替要求処理は、論理マネー振替要求プログラム１２２２に従って実行される。まず、論理マネー取引制御部１２０は、追加投入されたＩＣコインのＩＤをＩＣコイン受付信号から取得する（ステップＳ１３１）。そして、当該ＩＣコインのＩＤとステップＳ１２６で生成したマスター口座キーとを含む論理マネー振替要求の信号を論理マネー管理装置２００へ送信する（ステップＳ１３２）。
【００６７】
論理マネー管理装置２００は、振替要求の信号を受信すると、後述する振替処理（図１５）を実行する。すなわち、取引開始前に投入され認証された最初のＩＣコインのＩＤに基づいて特定される口座（これを、本明細書では「マスター口座」という）に、後から追加投入されたＩＣコインの口座に預け入れられている論理マネーの残高を加算する。
【００６８】
論理マネー取引制御部１２０は、論理マネー管理装置２００から応答信号を受信し（ステップＳ１３３：ＹＥＳ）、追加したＩＣコインのＩＤが論理マネー管理ＤＢ２０１に登録済みでなければ（ステップＳ１３４：ＮＯ）、ＩＣコイン受入部１１０に対し、当該追加投入されたＩＣコインを不適格のものとして排出させる（ステップＳ１３５）。追加投入されたＩＣコインのＩＤが登録済みであれば（ステップＳ１３４：ＹＥＳ）、その応答信号に残高情報が含まれるか調べ、残高情報が含まれていると（ステップＳ１３６：ＹＥＳ）、その金額を残高表示部１２１３に表示させる（ステップＳ１３７）。なお、残高表示部１２１３に表示される残高は、最初に投入したＩＣコインの口座、すなわちマスター口座に預け入れられている残高を示すので、後から追加投入したＩＣコインが保有する金額が最初に投入したＩＣコインが保有する金額に加算されたことになる。
【００６９】
次に、図８は、論理マネー取引制御部１２０が取引状態において、現金識別機１３０に真性の現金が投入された場合に起動される預入要求処理のフローチャートである。なお、預入要求処理は、論理マネー預入要求プログラム１２２３に従って実行される。本預入要求処理においては、論理マネー取引制御部１２０は、現金識別機１３０からの現金受付信号が示す金額情報とマスター口座キーとを含む論理マネー預入要求の信号を論理マネー管理装置２００へ送信する（ステップＳ１４１）。
【００７０】
論理マネー管理装置２００は、振替要求の信号を受信すると、後述する預入処理（図１６）を実行する。すなわち、受信したマスター口座キーから特定されるマスター口座の預り金残高に、同時に送信された金額情報が示す金額を加算する。
【００７１】
論理マネー取引制御部１２０は、論理マネー管理装置２００から応答信号を受信し（ステップＳ１４２：ＹＥＳ）、その応答信号に残高情報が含まれるか調べる。残高情報が含まれていると（ステップＳ１４３：ＹＥＳ）、その金額を残高表示部１２１３に表示させる（ステップＳ１４４）。預入要求処理により、現金識別機１３０に投入された現金の金額がマスター口座、すなわち取引最初に投入し認証されたＩＣコインに加算される。
【００７２】
次に、図９は、貸出スイッチ１２１１が押圧操作された際に起動される出金要求処理のフローチャートである。なお、この出金要求処理は、論理マネー出金要求プログラム１２２４に従って実行される。出金要求処理においては、論理マネー取引制御部１２０は、マスター口座キーとともに予め決められた取引単位金額の出金を要求する信号を論理マネー管理装置２００へ送信する（ステップＳ１５１）。なお、取引単位金額は、貸出スイッチ１２１１の１回の操作、または現金の投入を契機に貸し出される所定個数の遊技球の購入金額に相当する。
【００７３】
論理マネー管理装置２００は、出金要求の信号を受信すると、後述する出金処理（図１７）を実行する。すなわち、論理マネー管理装置２００は、受信したマスター口座キーから特定されるマスター口座から取引単位金額の論理マネーを引き出し、同時に取引単位金額の論理マネー出金信号と引き出されたマスター口座の残高情報を当該台間玉貸機１００の論理マネー取引制御部１２０へ送信する。
【００７４】
論理マネー取引制御部１２０は、論理マネー管理装置２００から論理マネー出金信号を受信した場合（ステップＳ１５２：ＹＥＳ）、図１０に示す入金信号生成処理を行う。すなわち、その出金信号が示す金額の論理マネーが入金されたとみなして、払出制御基板１５０に対し当該金額情報を含む入金信号を送信する（ステップＳ１６１）。なお、払出制御基板１５０は、上述したように、遊技球払出手段１６０に対し入金信号が示す金額に応じた数の遊技球を払い出させる制御を行う。このようにして、ＩＣコインを介した取引状態における貸出スイッチ１２１１の押圧操作による遊技球の貸し出し動作が行われる。
【００７５】
また、論理マネー管理装置２００からの応答信号に残高情報が含まれるか調べ、残高情報が含まれていると（ステップＳ１５４：ＹＥＳ）、その金額を残高表示部１２１３に表示させる（ステップＳ１５５）。
【００７６】
次に、図１１は、取引状態において、返却スイッチ１２１２が押圧操作された際に起動されるＩＣコイン返却処理プログラム１２２６のフローチャートである。論理マネー取引制御部１２０は、返却スイッチ１２１２が押圧操作されたのを検出すると、予めＩＣコイン受入部１１０から取得してある、返却用として待機しているＩＣコインのＩＤと、マスター口座キーとを含むＩＣコイン返却要求の信号を論理マネー管理装置２００へ送信する（ステップＳ１７１）。
【００７７】
論理マネー管理装置２００は、ＩＣコイン返却要求の信号を受信すると、後述する取引終了処理（図１８）により、マスター口座に論理マネーの残高が有ることを条件に返却許可の信号を返信する。なお、論理マネー管理装置２００は、返却許可の信号を返信するとき、マスター口座に預け入れられている論理マネーの残高を返却用のＩＣコインの口座に移し換える。
【００７８】
論理マネー取引制御部１２０は、論理マネー管理装置２００から応答信号を受信し、その信号がＩＣコインの返却を許可する場合（ステップＳ１７２：ＹＥＳ）、ＩＣコイン受入部１１０に対し返却用として待機しているＩＣコインを排出させる（ステップＳ１７３）。
【００７９】
次に、論理マネー管理装置２００の動作を図１２〜図１８のフローチャートに基づいて説明する。なお、これらの処理は、論理マネー管理装置２００のＣＰＵ２０３が記憶装置２０５に格納されている各プログラムに従って演算処理をすることで実行される。
【００８０】
図１２は、論理マネー管理装置２００におけるメインプログラム２１０のフローチャートである。同図を参照し、論理マネー管理装置２００は、そのメイン処理において、通信可能に接続されている何れかの台間玉貸機１００からＩＣコイン認証要求の信号を受信すると（ステップＳ２０１：ＹＥＳ）、当該要求信号が示すＩＣコインに係る論理マネー取引処理を起動する（ステップＳ２０２）。
【００８１】
また、売上の集計を行う所定の時刻に設定されるタイマ割込が発生すると（ステップＳ２０３：ＹＥＳ）、論理マネー管理装置２００は、売上データ集計処理を起動する（ステップＳ２０４）。
【００８２】
また、預り金両替機５００からＩＣコインの新規発行を受け付けた旨の信号を受信すると（ステップＳ２０５：ＹＥＳ）、論理マネー管理装置２００は、ＩＣコイン発行処理を起動する（ステップＳ２０６）。
【００８３】
また、預り金返却機６００からＩＣコインに預け入れた預り金の精算を受け付けた旨の信号を受信すると（ステップＳ２０７：ＹＥＳ）、論理マネー管理装置２００は、預り金返却処理を起動する（ステップＳ２０８）。
【００８４】
ＩＣコインの認証要求を受けて起動する論理マネー取引処理（ステップＳ２０２）を詳細に説明する。図１３は、論理マネー取引プログラム２２０に従って実行される論理マネー取引処理のフローチャートである。論理マネー取引処理は、まずステップＳ２１１において、図１４に示されるＩＣコイン認証プログラムによる認証処理が行われる。
【００８５】
図１４において、論理マネー管理装置２００は、認証を要求するＩＣコインのＩＤが論理マネー管理ＤＢ２０１に登録されているか否か調べ、登録されていなければ（ステップＳ２２１：ＮＯ）、認証要求を送信した台間玉貸機１００の論理マネー取引制御部１２０へＩＤが未登録である旨の応答信号を返信する（ステップＳ２２２）。
【００８６】
また、ＩＤが登録されたものであれば（ステップＳ２２１：ＹＥＳ）、当該ＩＣコインを認証する旨の応答信号と、一の秘密暗号化鍵を選択して当該台間玉貸機１００の論理マネー取引制御部１２０へ送信する（ステップＳ２２３）。そして、論理マネー管理ＤＢ２０１を参照し、当該ＩＣコインのＩＤに基づく口座をマスター口座とし、その預り金残高を取得する（ステップＳ２２４）。この場合、マスター口座の残高が予め決められた取引単位の金額（一度の貸し出し操作で貸し出す遊技球の金額）以上か否か判定し、残高が取引単位以上であれば（ステップＳ２２５：ＹＥＳ）、取引単位金額の論理マネー出金信号と、マスター口座の残高から取引単位金額分を差し引いた金額の残高情報を、認証要求を送信した当該台間玉貸機１００の論理マネー取引制御部１２０へ送信する（ステップＳ２２６）。このとき、出金信号を送信した時刻、ＩＣコインのＩＤ、相手先の台間玉貸機１００の機械台番号、出金金額を取引履歴ファイル２０２に追記して更新する（ステップＳ２２７）。
【００８７】
図１３に戻り、ステップＳ２１１において認証依頼のＩＣコインのＩＤが登録されたものでなければ、当該ＩＣコインを介在させた取引は無効であると判定し（ステップＳ２１２：ＮＯ）、メインの処理へ戻る。ＩＣコインのＩＤが登録されたものであれば、当該ＩＣコインが投入されている台間玉貸機１００との取引を有効と判定し（ステップＳ２１２：ＹＥＳ）、当該台間玉貸機１００からマスター口座キーとともに送信される要求信号に応じた以下の各種処理を行う。
【００８８】
すなわち、取引が開始された台間玉貸機１００の論理マネー取引制御部１２０から、論理マネー振替要求の信号を受信すると（ステップＳ２１３：ＹＥＳ）、論理マネー振替処理を起動する（ステップＳ２１４）。
【００８９】
また、当該論理マネー取引制御部１２０から、論理マネー預入要求の信号を受信すると（ステップＳ２１５：ＹＥＳ）、論理マネー預入処理を起動する（ステップＳ２１６）。
【００９０】
また、当該論理マネー取引制御部１２０から、論理マネー出金要求の信号を受信すると（ステップＳ２１７：ＹＥＳ）、論理マネー出金処理を起動する（ステップＳ２１８）。
【００９１】
また、当該論理マネー取引制御部１２０から、ＩＣコイン返却要求の信号を受信すると（ステップＳ２１９：ＹＥＳ）、取引終了処理を起動して（ステップＳ２２０）、当該台間玉貸機１００との取引を終了させる。
【００９２】
図１５は、論理マネー管理装置２００が論理マネー振替要求の信号を受信した際に起動される論理マネー振替プログラム２２２のフローチャートである。論理マネー振替処理において、論理マネー管理装置２００は、受信した論理マネー振替要求の信号が示す追加投入されたＩＣコインのＩＤが論理マネー管理ＤＢ２０１に登録されているか調べ、登録されていなければ（ステップＳ２３１：ＮＯ）、振替要求を送信した当該論理マネー取引制御部１２０へＩＤが未登録である旨の応答信号を返信し（ステップＳ２３２）、振替処理を終了する。
【００９３】
追加投入されたＩＣコインが登録済みのものであれば（ステップＳ２３１：ＹＥＳ）、図１９（ａ）に例示すように、当該ＩＣコインのＩＤに基づく口座に預け入れられている論理マネーを、振替要求とともに受信したマスター口座キーから特定されるマスター口座に移し換えて加算する。
【００９４】
なお、マスター口座は、上述のＩＣコイン認証処理において、取引を開始するために認証を依頼したＩＣコインのＩＤに基づく口座である。マスター口座キーは、ＩＣコイン認証処理において認証したＩＣコインのＩＤに関連付けられた秘密暗号化鍵で暗号化したデータなので、論理マネー管理装置２００がマスター口座キーを解読することにより、認証したＩＣコインのＩＤが確認できる。これにより、マスター口座キーからマスター口座が特定される。
【００９５】
ステップＳ２３４において、加算したマスター口座の残高が取引単位以上か判定する。残高が取引単位以上であれば（ステップＳ２３４：ＹＥＳ）、取引単位金額の論理マネー出金信号と、加算したマスター口座の残高から取引単位金額分を差し引いた金額の残高情報を、当該当該台間玉貸機１００へ送信する（ステップＳ２３５）。そして、出金信号を送信した時刻、ＩＣコインのＩＤ、相手先の台間玉貸機１００の機械台番号、出金金額を取引履歴ファイル２０２に追記して更新する（ステップＳ２３７）。
【００９６】
また、残高が取引単位より少なければ（ステップＳ２３４：ＮＯ）、マスター口座に預け入れられた（加算した）金額の残高情報を、当該当該台間玉貸機１００へ送信する（ステップＳ２３６）。
【００９７】
次に、図１６は、論理マネー管理装置２００が論理マネー預入要求の信号を受信した際に起動される論理マネー預入プログラム２２３のフローチャートである。論理マネー預入処理において、論理マネー管理装置２００は、論理マネー預入要求の信号が示す金額、すなわち現金識別機１３０に投入された現金の金額を、図１９（ｂ）に例示するように、預入要求とともに受信したマスター口座キーから特定されるマスター口座の残高に加算する。
【００９８】
そして、加算したマスター口座の残高が取引単位以上か判定する（ステップＳ２４２）。加算した残高が取引単位以上であれば（ステップＳ２４２：ＹＥＳ）、取引単位金額の論理マネー出金信号と、加算したマスター口座の残高から取引単位金額分を差し引いた金額の残高情報を、預入要求を送信した当該台間玉貸機１００へ送信する（ステップＳ２４３）。そして、出金信号を送信した時刻、ＩＣコインのＩＤ、相手先の台間玉貸機１００の機械台番号、出金金額を取引履歴ファイル２０２に追記して更新する（ステップＳ２４５）。
【００９９】
残高が取引単位より少なければ（ステップＳ２４２：ＮＯ）、マスター口座に預け入れられた（加算した）金額の残高情報を、当該台間玉貸機１００へ送信する（ステップＳ２４４）。
【０１００】
次に、図１７は、論理マネー管理装置２００が論理マネー出金要求の信号を受信した際に起動される論理マネー出金プログラム２２４のフローチャートである。論理マネー出金処理において、論理マネー管理装置２００は、論理マネー出金要求とともに受信したマスター口座キーからマスター口座を特定し、論理マネー管理ＤＢ２０１を参照してマスター口座の残高を取得する（ステップＳ２５１）。残高が取引単位以上であれば（ステップＳ２５２：ＹＥＳ）、取引単位金額の論理マネー出金信号と、マスター口座の残高から取引単位金額分を差し引いた金額の残高情報を、出金要求を送信した当該台間玉貸機１００へ送信する（ステップＳ２５４）。そして、図１９（ｃ）に例示するように、マスター口座から取引単位金額、すなわち論理マネー出金信号分の金額を減算する（ステップＳ２５５）。このとき、出金信号を送信した時刻、ＩＣコインのＩＤ、相手先の台間玉貸機１００の機械台番号、出金金額を取引履歴ファイル２０２に追記して更新する（ステップＳ２５６）。
【０１０１】
次に、図１８は、論理マネー管理装置２００がＩＣコイン返却要求の信号を受信した際に起動される取引終了処理プログラム２２５のフローチャートである。取引終了処理において、論理マネー管理装置２００は、ＩＣコイン返却要求とともに受信したマスター口座キーからマスター口座を特定し、論理マネー管理ＤＢ２０１を参照してマスター口座の残高を取得する（ステップＳ２６１）。マスター口座に残高があれば（ステップＳ２６２：ＹＥＳ）、ＩＣコインの返却許可の信号を返却要求を送信した当該台間玉貸機１００へ送信し（ステップＳ２６４）、図１９（ｄ）に示すように、マスター口座の論理マネーを返却用のＩＣコインのＩＤに基づく口座へ移し換える（ステップＳ２６５）。マスター口座に残高がなければ（ステップＳ２６２：ＮＯ）、ＩＣコインの返却を許可しない旨の信号を当該台間玉貸機１００へ送信する（ステップＳ２６３）。
【０１０２】
なお、図１２のフローチャートに示すメインの処理において、所定時刻に設定されるタイマ割込が発生し起動される売上データ集計処理では、論理マネー管理装置２００は、取引履歴ファイル２０２を参照し、各台間玉貸機への出金金額を集計することで夫々の売上を求める。
【０１０３】
また、論理マネー管理装置２００のメインの処理において、預り金両替機５００から、ＩＣコインの新規発行を受け付けた旨の信号を受信して起動するＩＣコイン発行処理（ステップＳ２０６）では、論理マネー管理装置２００は、新規発行するＩＣコインのＩＤに基づく口座を論理マネー管理ＤＢ２０１に追加登録する。そして、ＩＣコインの販売金額の論理マネーをそのＩＤに基づく口座に預け入れ（つまり記憶させ）論理マネー管理ＤＢ２０１を更新する。
【０１０４】
また、論理マネー管理装置２００のメインの処理において、預り金返却機６００から、ＩＣコインが保有する預り金の精算を受け付けた旨の信号を受信して起動する預り金返却処理（ステップＳ２０８）では、精算されるＩＣコインのＩＤに基づく口座の残高をゼロにして論理マネー管理ＤＢ２０１を更新する。
【０１０５】
本実施形態の遊技媒体貸出システムによれば、台間玉貸機１００は、投入された現金を一旦、論理マネー管理装置２００に預け入れ、遊技媒体の貸し出し操作毎に所定の購入金額（取引単位金額）を論理マネー管理装置２００から出金させることで購入金額分の遊技球を払い出すようにした。また、台間玉貸機１００と論理マネー管理装置２００と間の金銭取引をＩＣコインのＩＤに基づく口座を使用して安全性を確保しつつ行うことで、論理マネー管理装置２００には正確性が保証された取引履歴が残る。これにより、各台間玉貸機１００の正確な売上を管理することができる。
【０１０６】
また、本発明に係る貸出システムの他の実施形態としては、図２０に示すシステム構成であってもよい。本実施形態では、論理マネー管理装置２００は、例えば売上の集計を行う所定の時刻に設定されるタイマ割込の発生に応じて、取引履歴ファイル２０２に基づいて集計した例えば１営業日分の売上データを第三者機関の売上集計システム７００に伝送する。なお、論理マネー管理装置２００は、第三者機関の公開暗号化鍵により売上データを暗号化して送信する。これにより、論理マネー管理装置２００から送信される売上データを、当該遊技店舗を含めて他からは解読されないようにする。
【０１０７】
第三者機関の売上集計システム７００は、各遊技店舗からの売上データを複号化して記憶保管する。また、売上集計システム７００は、受信した売上データを当該遊技店舗のみが解読可能な公開暗号化鍵で暗号化し当該遊技店舗のホールコンピュータ４００へ送信してもよい。この場合、ホールコンピュータ４００は、各台間玉貸機からの売上データと、売上集計システム７００からの売上データとを整合性を照査することができ、より正確に店舗内の売上を管理することができる。
【０１０８】
また、本発明に係る貸出システムの更に別の実施形態としては、図２１に示すシステム構成であってもよい。本実施形態によれば、台間玉貸機１００において、論理マネー取引制御部１２０が出力する入金信号を直接的に入力する入金信号集計及び伝送手段手段１４０が設けられる。入金信号集計及び伝送手段手段１４０は、受信した入金信号を変更することなく払出制御手段１５０に転送することで、入金信号が示す金額に応じた遊技球の払い出しを遊技球払出手段１６０にさせる。また、入金信号集計及び伝送手段手段１４０は、入金信号が示す金額情報を一定時間（例えば１営業日分）蓄積し、入金金額を集計した後そのデータを第三者機関の売上集計システム７００に伝送する。なお、送信される入金データは、第三者機関の公開暗号化鍵により暗号化される。
【０１０９】
売上集計システム７００は、台間玉貸機１００から送信される入金データと、遊技店舗の論理マネー管理装置２００から送信される売上データとの整合性を確認する。これにより、仮に、売上情報の改ざん等があったとしても、第三者機関においてその履歴を残すことができる。また、売上集計システム７００が記憶保管する売上データは、正当性が保証されるので、遊技店舗が税務署等に売上会計を申告する上での証拠のデータとすることができる。
【図面の簡単な説明】
【０１１０】
【図１】パチンコホール等の遊技店舗に構築される遊技媒体貸出システムのネットワーク構成図である。
【図２】遊技媒体貸出システムの構成を表すブロック図である。
【図３】論理マネー取引制御部の回路構成を表すブロック図である。
【図４】論理マネー管理装置の回路構成を表すブロック図である。
【図５】台間玉貸機における論理マネー取引制御部のメインプログラムによる動作を表すフローチャートである。
【図６】台間玉貸機における論理マネー取引制御部のＩＣコイン認証要求プログラムによる動作を表すフローチャートである。
【図７】台間玉貸機における論理マネー取引制御部の論理マネー振替要求プログラムによる動作を表すフローチャートである。
【図８】台間玉貸機における論理マネー取引制御部の論理マネー預入要求プログラムによる動作を表すフローチャートである。
【図９】台間玉貸機における論理マネー取引制御部の論理マネー出金要求プログラムによる動作を表すフローチャートである。
【図１０】台間玉貸機における論理マネー取引制御部の入金信号生成プログラムによる動作を表すフローチャートである。
【図１１】台間玉貸機における論理マネー取引制御部のＩＣコイン返却処理プログラムによる動作を表すフローチャートである。
【図１２】論理マネー管理装置のメインプログラムによる動作を表すフローチャートである。
【図１３】論理マネー管理装置の論理マネー取引プログラムによる動作を表すフローチャートである。
【図１４】論理マネー管理装置のＩＣコイン認証プログラムによる動作を表すフローチャートである。
【図１５】論理マネー管理装置の論理マネー振替プログラムによる動作を表すフローチャートである。
【図１６】論理マネー管理装置の論理マネー預入プログラムによる動作を表すフローチャートである。
【図１７】論理マネー管理装置の論理マネー出金プログラムによる動作を表すフローチャートである。
【図１８】論理マネー管理装置の取引終了プログラムによる動作を表すフローチャートである。
【図１９】論理マネー管理装置における取引動作の具体例を説明するための図である。
【図２０】他の実施形態による遊技媒体貸出システムの構成を表すブロック図である。
【図２１】更に他の実施形態による遊技媒体貸出システムの構成を表すブロック図である。
【符号の説明】
【０１１１】
１００…台間玉貸機、
１１０…ＩＣコイン受入部、  １２０…論理マネー取引制御部、
１３０…現金識別機、  １４０…入金集計及び伝送手段、
１５０…払出制御基板、  １６０…遊技球払出手段、
２００…論理マネー管理装置
２０１…論理マネー管理ＤＢ、  ２０２…取引履歴ファイル、
２０３…ＣＰＵ、  ２０４…記憶装置、  ２０５…記憶装置、
２０６…ＬＡＮ制御回路、
２１０…メインプログラム、
２２０…論理マネー取引プログラム、  ２２１…ＩＣコイン認証プログラム、
２２２…論理マネー振替プログラム、  ２２３…論理マネー預入プログラム、
２２４…論理マネー出金プログラム、  ２２５…取引終了処理プログラム、
２３０…売上データ集計プログラム、
２４０…ＩＣコイン発行処理プログラム、
２５０…預り金返却処理プログラム、
２６０…伝送データ暗号化／復号化プログラム、
３００…ルータ（データ伝送中継手段）、
４００…ホールコンピュータ、
５００…預り金両替機、  ６００…預り金返却機、
７００…売上集計システム、
８００…通信ネットワーク、  ９００…通信ネットワーク、
１２０１…ＣＰＵ、  １２０２…Ｉ／Ｏポート、
１２０３…シリアル通信回路、  １２０４…ＬＡＮ制御回路、
１２０５…記憶装置、  １２０６…記憶装置、
１２１１…貸出スイッチ、  １２１２…返却スイッチ、
１２１３…残高表示部、
１２２０…メインプログラム、
１２２１…ＩＣコイン認証要求プログラム、
１２２２…論理マネー振替要求プログラム、
１２２３…論理マネー預入要求プログラム、
１２２４…論理マネー出金要求プログラム、
１２２５…入金信号生成プログラム、
１２２６…ＩＣコイン返却処理プログラム、
１２２７…伝送データ暗号化／復号化プログラム
【図１】
2006149525.tif 000003
【図２】
2006149525.tif 000004
【図３】
2006149525.tif 000005
【図４】
2006149525.tif 000006
【図５】
2006149525.tif 000007
【図６】
2006149525.tif 000008
【図７】
2006149525.tif 000009
【図８】
2006149525.tif 000010
【図９】
2006149525.tif 000011
【図１０】
2006149525.tif 000012
【図１１】
2006149525.tif 000013
【図１２】
2006149525.tif 000014
【図１３】
2006149525.tif 000015
【図１４】
2006149525.tif 000016
【図１５】
2006149525.tif 000017
【図１６】
2006149525.tif 000018
【図１７】
2006149525.tif 000019
【図１８】
2006149525.tif 000020
【図１９】
2006149525.tif 000021
【図２０】
2006149525.tif 000022
【図２１】
2006149525.tif 000023